【事件の表示】
　平成　１年特許願第２１８４８５号「文書処理装置」拒絶査定に対する審判事件［平成　３年　４月　９日出願公開、特開平　３−　８３１６０］について、次のとおり審決する。
【結　論】
　本件審判の請求は、成り立たない。
【理　由】
（手続の経緯・本願の発明の要旨）
　本願は、平成１年８月２８日の出願であって、その発明は、平成１２年９月２０日付けの手続補正によって補正された明細書と図面の記載からみて、その特許請求の範囲に記載されたとおりのものと認める。
「表示画面上に表示される文書に対する入力処理を行う文書処理装置であって、
　上記表示画面上に表示される文書上における文字入力位置を示すカーソル位置を指定するカーソル位置指定手段と、
　文書上に入力すべき登録文字列と、その登録文字列に対して登録された桁位置情報と、を対応付けて記憶する登録文字列記憶手段と、
　上記登録文字列の読み出し操作により、上記登録文字列記憶手段から上記登録文字列を読み出し、上記カーソル位置指定手段で指定された上記文書上のカーソル位置よりその読み出された登録文字列を入力して表示させる文字列表示手段と、
　上記登録文字列の読み出しに伴い、その登録文字列に対応して記憶された桁位置情報を読み出し、その読み出された桁位置情報と上記カーソル位置とに基いて新たなカーソル位置を算出し、その算出されたカーソル位置を上記カーソル位置指定手段において指定された新たなカーソル位置として更新するカーソル位置更新手段と、
　上記文書上における上記登録文字列の入力表示後においては、上記更新された新たなカーソル位置にカーソル表示するカーソル表示手段と、
　を具備したことを特徴とする文書処理装置。」
　
（引用例）
　これに対し、当審の拒絶の理由において引用された、本願の出願前に国内において頒布された刊行物である特開昭６３−１４８３６９号公報（以下、「引用例」という。）には、「文書の作成機能を有する文書作成装置に於いて、作成された文書を登録するための登録手段と、上記登録手段に文書を登録せしめると共に、その文書中のカーソル位置をも同時に登録せしめる登録制御手段と、上記登録された文書を呼出してさらに文書を作成する際に、上記登録手段から登録された文書及びカーソル位置を呼出すための呼出し手段と、上記呼出された文書中の登録されたカーソル位置を検索して、カーソルを上記呼出された文書中の上記検索された位置に表示せしめる検索表示手段とを具備して成ることを特徴とする文書呼出し方式。」（特許請求の範囲）、「登録制御手段２によって登録手段１に、文書と共にその文書中のカーソル位置も同時に登録され、文書の呼出し時には、呼出し手段３によって上記登録手段１から登録された文書及びカーソル位置が呼出され、検索表示手段４によって、上記呼出されたカーソル位置が検索されて、上記呼出された文章の、例えば上記検索されたカーソル位置を含む頁が表示されると共に、カーソルがその文書中の上記検索された位置に表示される。よって、文書を呼出すと、登録時の位置に自動的にカーソルが表示され、文書呼び出しから文書作成へ自然な移行が可能となる。」（公報第２頁第右上欄第１１乃至同頁左下欄第２行）、「登録画面が表示装置２６に表示されるので、入力装置１２を用いて同図（ｂ）に示すように、文書名（例えば、“ＡＢＣ”）を入力する。」（同頁右下欄第１７乃至１９行）、「カーソル位置が、第７図に示すようなデータ格納構造の管理データ格納域１６にセットされる（ステップＳ８０１）」（同第３頁左下欄第１４乃至１６行）が図面とともに記載されている。
　上記の記載からみて、引用例には、
「表示画面上に表示される文書を入力処理を行う文書作成装置であって、上記表示画面上に表示される文書上における文字入力位置を示すカーソル位置を管理データ格納域１６にセットする手段と、文書上に入力する文書と共にその文書中のカーソル位置も同時に登録する登録手段１と、文書の読み出しにより上記登録手段１から上記文書を読み出し表示する表示装置２６と、上記文書の読み出しと共にその文書に対応して登録されたカーソル位置を読み出してカーソルを表示するカーソル表示手段と、を備えた文書作成装置」が記載されているものと認められる。
　
（本願発明と引用例に記載された発明との対比）
　本願発明（前者）と引用例に記載された発明（後者）とを対比すると、
  後者の「文書作成装置」、「セットする手段」、「登録手段１」、「表示装置２６」は、前者の「文書処理装置」、「カーソル位置指定手段」、「記憶手段」、「表示手段」に相当し、そして、後者の「登録手段１」は、登録文字列ではなく文書を登録しているが、登録文字列も文書の一種であることを考慮すれば、前者の「記憶手段」に相当すると言い得るから、
　両者は、「表示画面上に表示される文書に対する入力処理を行う文書処理装置であって、上記表示画面上に表示される文書上における文字入力位置を示すカーソル位置を指定するカーソル位置指定手段と、文書上に入力すべき文書と、その文書に対して登録されたカーソル位置情報と、を対応付けて記憶する記憶手段と、上記文書の読み出し操作により、上記記憶手段から上記文書を読み出し、その読み出された文書を入力して表示させる文書表示手段と、上記文書の読み出しに伴い、その文書に対応して記憶された桁位置情報を読み出し、その文書の入力表示後においては、カーソルを表示するカーソル表示手段と、を具備したことを特徴とする文書処理装置」の点で一致し、
　相違点（１）
　後者が文書上に入力する対照が登録文字列であり、その登録文字列をカーソル位置指定手段で指定された文書上のカーソル位置より表示させる文字列表示手段、読み出された桁位置情報とカーソル位置とに基いて新たなカーソル位置として更新するカーソル位置更新手段、更新された新たなカーソル位置にカーソル表示するカーソル表示手段を有するのに対して、前者は、文書上に入力する対照が文書であり、上記のような文字列表示手段、カーソル位置更新手段、カーソル表示手段を有していない点で相違するものと認める。
　
（当審の容易性の判断）
　上記相違点について、
　文書上に入力する対照が登録文字列であること、その登録文字列とカーソル位置情報とを対応付けて記憶する登録文字列記憶手段、その登録文字列に対してカーソル位置データとを対応付けて登録すること、及び、その登録文字列をカーソル位置指定手段で指定された文書上のカーソル位置より表示させることは、本願出願前に周知の技術手段（例えば、実願昭６１−４４４７２号（実開昭６２−１５８５６９号公報）のマイクロフィルム、実願昭６１−４４４７３号（実開昭６２−１５８５７０号公報）のマイクロフィルム等参照）である。この例示した刊行物には、西暦を表す年月日文章（前者の「登録文字列」に相当）を呼び出した後に、カーソル位置を先頭にもってくることが開示されている。このことは、指定された文書上のカーソル位置より年月日文章を表示させていることは明らかである。そして、西暦あるいは年号で表示するかどうかは、作成する文書の目的に応じて適宜選定できる程度のことであるから、年号を選定すれば年号の次の位置にカーソル位置を読み出せるように年号と共にカーソル位置を登録することは、当業者が容易に推考できたことと認める。そして、年号を選定する際には、この年号のカーソル位置を算出するために文書上のカーソル位置とカーソル位置のデータに基づいて新たなカーソル位置を算出させること、その算出されたカーソル位置に更新してカーソル表示することは、単なる設計的事項として当業者が当然考慮することである。
　そして、本願発明の効果は、引用例に記載の発明及び周知の技術手段の効果から予測できる程度のものと認める。
　
（まとめ）
　したがって、本願の請求項１に係る発明は、刊行物記載の発明及び周知の技術手段に基づいて 当業者が容易に発明することができたものと認められるので、特許法第２９条第２項の規定により特許を受けることができない。
　
よって、結論のとおり審決する。